(57)【要約】【課題】工具類を必要とせずに簡単に取り付けることができ、天井面に照明器具を取り付ける工程において、前記照明器具の仮固定ができる照明器具取付装置を提供する。【解決手段】照明器具取付装置本体１に設けてある取付具ベ−ス２の下面に突設された雄ネジ部４に照明器具本体１２と着脱可能に係合する一対の係止部５を出没自在に、且つ、突出方向に付勢して設け、前記取付具ベ−ス２の下面に突設された雄ネジ部１１に螺合される雌ネジ部１１を有した支持リング１０を天井面１３に対して近接離間自在に締め込む。【選択図】図１
2007335383.tif 000002
【特許請求の範囲】
【請求項１】
引掛シ−リングに引っ掛ける栓刃を取付具ベ−ス上面に有し、前記取付具ベ−ス下面に突設された雄ネジ部を設け、前記雄ネジ部に照明器具本体と着脱自在に係合する一対の係止部材を出没自在に、且つ、突出方向に付勢して設け、前記取付具ベ−ス下面に突設された雄ネジ部に螺合される雌ネジ部を有した支持リングを天井面に対して近接離間自在に締め込むことで照明器具を取り付けることを特徴とする照明器具取付装置。
【請求項２】
前記係止部は、一体成形された解除レバ−部を有し、前記解除レバ−部は照明器具取付装置本体の下面から突出した請求項１記載の照明器具取付装置。
【発明の詳細な説明】
【技術分野】
【０００１】本発明は、天井に固着されているシ−リングロ−ゼットに照明器具を取り付けるための照明器具取付装置に関するものである。
【背景技術】
【０００２】従来、特開平９−９２０２３号に記載のもののように、照明器具取付装置の取付具ベ−ス下面の雄ネジ部に螺合する支持リングが備えられ、照明器具本体を仮固定する場合、前記照明器具本体に支持リングの外径より大きめの貫通穴と取付具ベ−ス下面の雄ネジ部外径よりも大きく、且つ、支持リングの外径よりも小さい支持穴とを連通させ、貫通穴に支持リングを挿通し、支持リングと雄ネジ部に前記器具本体を配置させ、次に、前記照明器具本体を水平移動させて仮固定する。
【発明の開示】
【発明が解決しようとする課題】
【０００３】しかしながら、この方法であると照明器具本体に異径の挿通穴をそれぞれ設けることになり、照明器具本体の仮固定部のスペ−スを大きくする必要があり、さらに、照明器具本体を仮固定させる為に前記照明器具本体を水平移動させる作業が必要となり作業性が悪いものである。【０００４】本発明の目的は、照明器具本体の挿通穴を一つとし、仮固定に要する照明器具本体を水平移動させる作業も必要なく、容易に照明器具本体を照明器具取付装置に仮固定をさせることが可能な照明器具取付装置を提供する。
【課題を解決するための手段】
【０００５】本発明の照明器具取付装置は、引掛シ−リングに引っ掛ける栓刃を取付具ベ−ス上面に有する取付具ベ−スと、前記取付具に対して着脱可能な照明器具取付装置本体からなり、前記取付装置は、前記取付具ベ−ス下面に突設された雄ネジ部を設け、前記雄ネジ部に照明器具本体と着脱自在に係合する一対の係止部材を出没自在に、且つ、突出方向に付勢して設け、前記取付具ベ−ス下面に突設された雄ネジ部に近接離間自在に螺合される特開平９−９２０２２号に公報で提案している過剰締め付けによるトルク回避構造の支持リングを使用し、照明器具本体を取り付けることを特徴とする。【０００６】照明器具本体の仮固定状態からの取り外しは照明器具取付装置本体下面より突出されている解除レバ−を摺動させることにより係止部が雄ネジ部側面より没入され、照明器具本体が取り外される。
【発明の効果】
【０００７】本発明による照明器具取付装置によれば、照明器具本体に設けてある挿通穴に、前記照明器具取付装置の雄ネジ部に挿嵌することにより、前記雄ネジ部に設けてある係止部が照明器具本体の挿通穴に係止し、前記照明器具本体が仮固定されることで作業性向上の効果がある。
【発明を実施するための最良の形態】
【０００８】以下、本発明の実施の形態を図面を参照して説明する。
図１は、本発明の実施形態に係る照明器具取付装置本体１と支持リング１０の斜視図である。取付具ベ−ス２の上面に一対の栓刃３及びシ−リングロ−ゼット１４に対する取付具ベ−ス２の取り外し方向の回動（時計方向の回動）を阻止する図示しないロック釦８及びロック爪９が設けてある。取付具ベ−ス２の下面に突設された雄ネジ部４が設けられ、照明器具本体１２の挿通穴１６と着脱自在に係合する一対の係止部５を出没自在に、且つ、突出方向へスプリング７により付勢して設けれている。前記係止部５は照明器具本体１２に設けてある挿通穴１６と着脱自在に係合する。さらに、前記係止部５は一体成形された解除レバ−部６を照明器具取付装置本体１の下面に有し、前記解除レバ−部６を摺動させることで係止部５は雄ネジ部４の側面から没入する。【０００９】支持リング１０は、前記照明器具取付装置本体１の雄ネジ部４と螺合する雌ネジ部１１が設けてあり、特開平９−９２０２２号の公報で提案している過剰締め付けによるトルク回避構造を有している。【００１０】図２は照明器具取付装置本体１に照明器具本体１２を仮固定した側面図である。照明器具本体１２の挿通穴１６を照明器具取付装置１の雄ネジ部４に挿嵌することにより、照明器具本体１２は係止部５に係止し仮固定される。また、仮固定の状態から照明器具取付装置本体１を取り外す場合、照明器具取付装置本体１の下面に設けてある解除レバ−部６を摺動させることで係止部５は雄ネジ部４の側面より没入し係止が解除され取り外すことが可能となる。【００１１】図３は本発明の実施形態に係わる照明器具取付装置本体１を天井面１３に固着されているシ−リングロ−ゼット１４に取り付け、照明器具本体１２を仮固定させた斜視図である。照明器具取付装置本体１の雄ネジ部４に照明器具本体１２の挿通穴１６を前記照明器具取付装置本体１の雄ネジ部４に挿嵌することで、前記雄ネジ部４に設けてある係止部５が照明器具本体１２の挿通穴１６に係止することで照明器具本体１２は係固定させれる。照明器具本体１２が仮固定された状態において、指示リング１０を照明器具取付装置本体１の雄ネジ部４に指示リング１０の雌ネジ部１１を螺合させる。【００１２】図４は、照明器具取付装置本体１に照明器具本体１２が仮固定から天井面１３に固定された状態の斜視図である。照明器具取付装置本体１に照明器具本体１２が仮固定され、支持リング１０を天井面１３に近接する方向へ回し、照明器具本体１２に設けてあるクッション材１７が天井面１３に当接するまで回して天井面１３に固定させる。この時、支持リング１０を天井面１３に近接する方向へ回す過程において、仮固定されている係止部５は支持リング１０の雌ネジ部１１の内側面に押されて前記係止部５は照明器具取付装置本体１の雄ネジ部４の側面より没入する。照明器具本体１２のクッション材１７が天井面１３に当接され、さらに回していくと特開平９−９２０２２号の公報で提案している支持リング１０はラチェット機構により過剰な締め付けが回避される。【００１３】図５は、本発明の実施形態に係わる照明器具取付装置の分解斜視図である。
照明器具取付装置本体１は、天井面１３に固着されたシ−リングロ−ゼット１４の下面に着脱自在に係止される取付具ベ−ス２に栓刃３を設け、前記取付具ベ−ス２の下面に突設された雄ネジ部４を設け、前記雄ネジ部４に照明器具本体１２と着脱自在に係合する一対の係止部５を備える。【００１４】シ−リングロ−ゼット１４は、従来公知のもので、図５の右側に符号１４ｃで示す埋込型のもの、図５の中央に符号１４ｂで示す露出型のもの、図５の左側に符号１４ａで示す高荷重型ツバ付きで露出型のものの３タイプがある。
なお、埋込型シ−リングロ−ゼットの高さは規格値が１１ｍｍであり、露出型シ−リングロ−ゼットの高さは規格値が２２ｍｍである。本発明の照明器具取付装置は前記照明器具取付装置本体１の雄ネジ部４と支持リング１０の雌ネジ部１１とを螺合させるものであり、シ−リングロ−ゼット１４の高さの制約に関係なく取り付けることができる。【００１５】シ−リングロ−ゼツト１４の下面には、一対の円弧状の栓刃挿入口１５が設けられている。栓刃挿入口１５は、一端側に形成された幅広部と他端側に形成された幅狭部とを有し、幅狭部の奥部は屋内配線と接続された図示しない端子が配設されている。【００１６】照明器具本体１２には照明器具取付装置本体１の雄ネジ部４へ挿嵌させる挿通穴１６が設けられており、前記挿通穴１６に照明器具取付装置本体１の雄ネジ部４に設けてある係止部５が係止される。【００１７】以上により、本発明の照明器具取付装置によれば、照明器具本体１２の挿通穴１６に挿嵌することで簡単に仮固定ができ、また、照明器具本体１２の取り外しは照明器具取付装置本体１の下面に設けてある解除レバ−部６を摺動させることで容易に照明器具本体１２を取り外すことができる。
【図面の簡単な説明】
【００１８】
【図１】  照明器具取付装置と支持リングの斜視図。
【図２】  照明器具取付装置に照明器具本体を仮固定した側面図。
【図３】  照明器具取付装置を天井に固着されているシ−リングロ−ゼットに取り付け、照明器具本体を仮固定させた斜視図。
【図４】  照明器具本体が支持リングにより天井に固定された斜視図。
【図５】  本発明の一実施形態である照明器具取付装置の分解斜視図。
【符号の説明】
【００１９】  １  照明器具取付装置本体
２  取付具ベ−ス
３  栓刃
４  雄ネジ部
５  係止部
６  解除レバ−部
７  スプリング
８  ロック釦
９  ロック爪
１０  支持リング
１１  雌ネジ部
１２  照明器具本体
１３  天井面
１４  シ−リングロ−ゼット
１５  栓刃挿入口
１６  挿通穴
１７  クッション材
【図１】
2007335383.tif 000003
【図２】
2007335383.tif 000004
【図３】
2007335383.tif 000005
【図４】
2007335383.tif 000006
【図５】
2007335383.tif 000007
【手続補正書】
【提出日】平成18年7月18日(2006.7.18)
【手続補正１】
【補正対象書類名】明細書
【補正対象項目名】図３
【補正方法】変更
【補正の内容】
【図３】
照明器具取付装置を天井に固着されているシ−リングロ−ゼットに取り付け、照明器具本体を仮固定させた状態の断面図。
【手続補正２】
【補正対象書類名】明細書
【補正対象項目名】図４
【補正方法】変更
【補正の内容】
【図４】
照明器具本体が支持リングにより天井に固定された状態の断面図。
【手続補正書】
【提出日】平成18年9月21日(2006.9.21)
【手続補正１】
【補正対象書類名】手続補正書
【補正対象項目名】手続補正１
【補正方法】変更
【補正の内容】
【手続補正１】
【補正対象書類名】明細書
【補正対象項目名】００１８
【補正方法】変更
【補正の内容】
【００１８】
【図１】照明器具取付装置と指示リングの斜視図。
【図２】照明器具取付装置に照明器具本体を仮固定した側面図。
【図３】照明器具取付装置を天井に固着されているシ−リングロ−ゼットに取り付け、照明器具本体を仮固定させた状態の断面図。
【図４】照明器具本体が支持リングにより天井に固定された状態の断面図。
【図５】本発明の一実施形態である照明器具取付装置の分解斜視図。
【手続補正２】
【補正対象書類名】手続補正書
【補正対象項目名】手続補正２
【補正方法】削除
【補正の内容】